【事件の表示】
　平成６年特許願第２６０１７５号「回転ヘッドシリンダ装置」拒絶査定不服審判事件〔平成８年５月１７日出願公開、特開平８−１２４１３１〕について、次のとおり審決する。
【結　論】
　本件審判の請求は、成り立たない。
【理　由】
１．手続きの経緯・本願発明
　本願は、平成６年１０月２５日の出願であって、その請求項１に係る発明（以下、「本願発明」という。）は、平成１８年１０月２５日付けの手続補正書によって補正された特許請求の範囲の請求項１に記載された、次のとおりのものである。
　
「記録及び再生を行う磁気ヘッドと、前記磁気ヘッドが取り付けられている回転シリンダーと、前記回転シリンダーに
軽
前記ボールベアリングに予圧をかけている前記固定シリンダー及び強い剛性を有する予圧ボスと、前記予圧ボスに取り付けられるモータースロットとを備え、前記予圧ボスは前記シャフトに直接固定され、前記モータースロットは前記固定シャフトと嵌合心
直接
　
　
２．引用例
（１）　これに対して、当審における、平成１８年９月１４日付けで通知した拒絶の理由に引用した実願平４−１８１５６号（実開平５−７３７１０号）のＣＤ−ＲＯＭ（以下、「引用例１」という。）には、回転シリンダ装置について、次の記載がある（下線は検討の便宜上、当審で付した。以下同様。）。
（ア）「【０００１】
　　【産業上の利用分野】
　本考案は、
ビデオテープレコーダ等の回転シリンダ装置
　
（イ）「【０００５】
　かかる従来の回転シリンダ装置が有する問題点を解消すべく、図３に示す軸固定式の回転シリンダ装置が提案された。即ち、図３において、図示しない固定シリンダ等に植設した固定軸４０の上端側には、ボス４１が圧入もしくは接着により固着され、このボス４１の上端面に金属コアプリント配線基板等からなる回路基板４２がビス４３によって取り付けられている。さらに、回路基板４２にはコアホルダー４４を介して
モータＭのステータコア４５
ステータコア４５の励磁により駆動マグネット４８が回転付勢されることにより、回転シリンダ４９が回転駆動される。
　
（ウ）「【００１０】
　　【実施例】
　以下、本考案にかかる回転シリンダ装置の実施例について図１を参照しながら説明する。図１において、
固定シリンダ１の中心軸線方向の孔内には、固定軸２が圧入もしくは嵌合接着により植設されている。
固定軸２には、所定寸法離間して一対のホールベアリング３の内輪が配設され
ホールベアリング３の外輪は、回転シリンダ４の中心軸線方向の孔に嵌着され、
回転シリンダ４の周縁下面側にはヘッド支持体５
ヘッド支持体５の外周端に磁気記録再生用の磁気ヘッド７
　　【００１１】
　回転シリンダ４の
固定シリンダ１に対向する側と反対側の上方には、固定軸２に固定された支持部材８が圧入
スペーサー１０を介して回路基板１１が重合されていて、ステータコア９と共に支持部材８の上面に上方から螺入したビス１２により共締め固定されている。
　
（エ）図１には、固定軸２に接して、スペーサー１０を介して回路基板１１が重合されていて、ステータコア９と共に支持部材８の上面に上方から螺入したビス１２により共締め固定されていることが図示されている。
　一対のボールベアリング３は、支持部材８と固定シリンダ１に接して図示されている。
　また、コイルを有するステータコア９が図示されている。
　
　以上（ア）乃至（エ）からすると、引用例１には、次の発明（以下、「引用例１発明」という。）が記載されている。
「磁気記録再生用の磁気ヘッドと、
　前記磁気ヘッドが取付けられたヘッド支持体と、
　前記ヘッド支持体が取付られた回転シリンダと、
　前記回転シリンダの孔に外輪が嵌着されたボールベアリングと、
　前記ボールベアリングの内輪が配設された固定軸と、
　前記固定軸が植設されている固定シリンダと、
　前記固定シリンダと反対側の上方の前記固定軸に圧入された支持部材と、
　前記支持部材の上面に、ビスにより共締め固定されたスペーサー、回路基板、ステータコアとを有し、
　前記ステータコアの励磁により駆動マグネットが回転付勢されることにより、前記回転シリンダが回転駆動されるビデオテープレコーダの回転シリンダ装置。」
　
（２）　同じく当審で引用した特開平６−２３１４３７号公報（平成６年８月１９日公開。以下、「引用例２」という。）には、回転ヘッドドラム装置について、従来例に関して次の記載がある。
（オ）「【０００５】図２において、内部に円板上の固定側ロータリトランス（３５）を備えた固定下ドラム（５）の中心には固定軸（１）が圧入固定されている。
中心に一対のボールベアリング（２７）（２９）を保持し、前記固定側ロータリトランス（３５）と対向する回転側ロータリトランス（３３）と複数の磁気ヘッド（３１）を備えた回転上ドラム（３）
　
（カ）「【００１０】
　　【発明が解決しようとする課題】しかしながら、上述した回転ヘッドドラム装置では、ブッシュ（９）を固定軸（１）に固定する際、
ボールベアリング（２７）（２９）に予圧を与えるため、ブッシュ（９）の端面の一部をボールベアリング（２９）の内輪に当接させた状態でブッシュ（９）をボールベアリング（２９）側へ所定の圧力で押圧しながら押しネジ（２１）を螺じ込んで固定する
　
（キ）図２には、ボールベアリング（２７）が固定下ドラムに接し、ボールベアリング（２９）がブッシュ（９）に接した回転ヘッドドラム装置が記載されている。
　
（３）　同じく当審で引用した特開昭６３−２２８４０８号公報（以下、「引用例３」という。）には、回転ヘッドドラム装置について、次の記載がある。
（ク）「また固定軸３の上端外周部にはステータヨーク１２が水平状に取付けられ、このステータヨーク１２の下面にステータコイル１３が前記ロータマグネット１０と対向するように設けられている。」（２頁右上欄１７行〜左下欄１行）
　
（ケ）図２には、固定軸３に取付られたステータヨーク１２が図示されている。
　
（４）　同じく当審で引用した実願昭６０−３９８２号（実開昭６１−１２１５０３号）のマイクロフィルム（以下、「引用例４」という。）には、回転磁気ヘッド装置について、次の記載がある。
（コ）「ステータコア１５に生じる磁束は、第２図に示すように閉ループを形成しステータコア１５の中心孔１５ａ内に漏洩することはない。」（明細書６頁３〜５行）
　
（サ）図１には、駆動コイル１４を有するステータコア１５が図示されている。
　図２には、スロットを有したステータコア１５が図示されている。
　
（５）　同じく当審で引用した実願昭６０−１０９１１８号（実開昭６２−１９０７３号）のマイクロフィルム（以下、「引用例５」という。）には、ブラシレスモータについて、次の記載がある。
（シ）「例えばビデオテープレコーダのシリンダーヘッドを回転させるとともに、そのシリンダーヘッドに配置した複数のヘッドを切り換える同期用のパルス信号を出力するブラシレスモータとしては、第４図および第５図に示す構成がある（実開昭５９−１０３５７８号公報）。」（明細書２頁４〜９行）
　
（ス）「ケース（９）には支持板（１２）を介してステータコア（１３）が取付られている。このコア（１３）は複数枚の鋼板を積層して一体化して形成され、第２図に示すように、放射状に延びる複数の突極片（１４）を有している。
　各突極片（１４）には複数組の駆動コイル（１５）が分割して巻かれている。
　ステータコア（１３）における隣合う突極片（１４）間で形成されるスロット（１６）の１個にはパルス信号発生コイル（１７）が配置されている。」（明細書４頁１９行〜５頁８行）
　
（セ）図１には、駆動コイル（１５）が巻かれたステータコア（１３）が図示されている。
　図２には、スロット（１６）を有したステータコア（１３）が図示されている。
　
　
３．対比
　次に、本願発明と引用例１発明とを対比する。
　引用例１発明と本願発明の、「磁気ヘッド」及び「ボールベアリング」は共通し、引用例１発明の「回転シリンダ」「固定シリンダ」「固定軸」は、本願発明の「回転シリンダー」「固定シリンダー」「固定シャフト」にそれぞれ相当する。
　引用例１発明のビデオテープレコーダの「回転シリンダ装置」は、ビデオテープレコーダーに用いられる本願発明の「回転ヘッドシリンダ装置」に相当する。
　引用例１発明の、磁気記録再生用の磁気ヘッドが取付られた支持体が、回転シリンダに取付られたことは、本願発明の「磁気ヘッドが取り付けられている回転シリンダー」の構成に相当する。
　引用例１発明の「ボールベアリング」の外輪が、回転シリンダの孔に嵌着されたことは、本願発明の、「回転シリンダー」に「ボールベアリング」が軽圧入されていることと比較して、「嵌着」「軽圧入」のいずれも固定方法である点で共通しているから、「回転シリンダー」に「ボールベアリング」が固定されている点に限り共通する。
　引用例１発明の「ボールベアリングの内輪が配設された固定軸」の構成は、「ボールベアリング」が軸受であることは明らかであるから、本願発明の、「ボールベアリングを軸受としている固定シャフト」の構成に相当する。
　引用例１発明の「固定軸に圧入された支持部材」は、支持部材が固定軸に直接固定された構成において、本願発明のシャフトに直接固定された「予圧ボス」と比較して、少なくとも「ボス」といいうるものであって、「シャフトに直接固定され」ている点で共通している。
　引用例１発明の「ステータコア」は、支持部材の上面に、ビスによりスペーサー、回路基板と共締め固定され、モータを構成するもので、励磁により駆動マグネットが回転付勢させ、回転シリンダが回転駆動されるようにする部材において、本願発明の、「回転シリンダ装置」のマグネットを励磁するように構成されている「モータースロット」の機能に相当するものであり、引用例１発明の「ステータコア」と本願発明の「モータースロット」の形状についても、引用例１の図１及び本願の図１を、引用例４，５に図示されたステータコア（上記「２．（４）（ケ）、（５）（セ）」参照）と照合すれば、引用例１発明の「ステータコア」と本願発明の「モータースロット」の双方とも、突極片にコイルが巻かれるように、スロットを有する形状であることは明らかであるから、引用例１発明の「ステータコア」は、本願発明の「モータースロット」に相当する。
　また、引用例１発明の「ステータコア」の中心部の孔を固定軸が貫通していること（上記「２．（１）（エ）」を参照）は、「ステータコア」が心だしされていることは明らかであるから、引用例１発明の、支持部材の上面に、スペーサー、回路基板、ステータコアがビスにより共締め固定された構成の「ステータコア」は、本願発明の「モータースロット」が、固定シャフトと心だしされるとともに、予圧ボスに固定されていることに相当する。
　
　以上のことからすると、両者の一致点及び相違点は、次のとおりである。
＜一致点＞
「記録及び再生を行う磁気ヘッドと、前記磁気ヘッドが取り付けられている回転シリンダーと、前記回転シリンダーに（固定）されているボールベアリングと、前記ボールベアリングを軸受としている固定シャフトと、前記固定シャフトを保持している固定シリンダーと、ボスと、前記ボスに取り付けられるモータースロットとを備え、前記ボスは前記シャフトに直接固定され、前記モータースロットは前記固定シャフトと心だしされるとともに、前記ボスに固定されている回転ヘッドシリンダ装置。」
　
＜相違点＞
（１）「回転シリンダー」と「ボールベアリング」との固定方法につき、本願発明は、「軽圧入」と特定しているのに対して、引用例１発明は、「嵌着」されている点。
（２）本願発明では、「ボールベアリングに予圧をかけている固定シリンダー及び強い剛性を有する予圧ボス」と特定するのに対して、引用例１発明の固定シリンダ及び支持部材について、そのように特定されていない点。
（３）モータスロットについて、本願発明は、固定シャフトと「嵌合」心だしされ、予圧ボスに「直接」固定されていると特定するのに対して、引用例１発明では、このように特定されていない点。
　
　
４．当審の判断
　上記相違点について検討する。
１）　相違点（１）について
　部材の固定手段として、圧入によることは周知の技術事項であり、適宜採用可能な固定手段にすぎない。引用例１発明においても、支持部材が圧入により固定軸に固定されているのであるから、ボールベアリングと回転シリンダとの固定に関しても、圧入によることは当然に採用しうる固定手段であり、「軽」圧入とした点は、単にその強度を漠然と示す程度のことであるから、適宜なし得ることにすぎない。結局、ボールベアリングを回転シリンダーに軽圧入することは、周知技術も考慮することで当業者が容易に想到しうるものである。
　
２）　相違点（２）について
　引用発明２には、従来の回転ヘッドドラム装置（上記「２．（２）（オ）、（カ）」を参照）において、ボールベアリングの端面に当接させた状態で、所定の圧力で押圧しながらブッシュをねじ込んで、一対のボールベアリングに予圧を与えることが記載されている。前記一対のボールベアリングは、固定下ドラムとブッシュに接した構成（上記「２．（２）（キ）」を参照）を採るものである。
　そして、ビデオテープレコーダの回転シリンダ装置において、ボールベアリングに接する部材が、ボールベアリングに予圧をかけるように構成することは、例えば、特開昭６２−１７３６０４号公報（回転磁気ヘッド装置の予圧付加部材１４参照）、実願昭６０−１９０５３４号（実開昭６２−９８０１２号）のマイクロフィルム（回転ヘッドドラム装置の予圧カラー１４参照）、原審の拒絶理由通知に引用した特開平６−２１５３４０号公報（第５段落の「ブッシング８を中心軸３に固定する際に固定ドラム２との距離を近づける方向に、所定の圧力を印加した状態で側方からネジ止等すること」参照）等にて周知である。
　してみれば、一対のボールベアリングが、支持部材と固定シリンダに接している構成（上記「２．（１）（エ）」を参照）である引用例１発明において、引用例２の記載や周知例を考慮して、支持部材を、ボールベアリングに予圧をかける「予圧ボス」とすることは当業者が容易に想到しうるものである。その際、支持部材（予圧ボス）は、固定シリンダに比して形状が小さいことから、ボールベアリングにかける予圧に対し強度を確保するため、当該支持部材（予圧ボス）を強い剛性を有するものとすることも、当業者が容易に想到し得る設計事項にすぎない。
　
３）　相違点（３）について
　引用例３には、ステータヨークを固定軸に取付けた回転ヘッドドラム装置が記載されており、予圧ボスにステータを直接固定した回転ヘッドドラム装置も、上記「３．（２）」で示した周知例の実願昭６０−１９０５３４号（実開昭６２−９８０１２号）のマイクロフィルム（予圧カラー１４とモータロータ５（第３図）参照）、実願平１−５９２６１号（実開平２−１４９１０６号）のマイクロフィルム（回転ヘッド装置のステータヨーク２９と固定ブッシュ２３（第１図）参照）等にて周知である。
　してみれば、引用例１発明において、固定軸に圧入された支持部材に固定されるステータコアを、固定軸においても固定されるように、固定軸と嵌合心だしされるとともに支持部材に直接固定されるモータスロットの構成とすることは、引用例３の記載や周知例を考慮して、当業者が容易に想到し得たものである。
　
　結局、上記各相違点は、格別なものではなく、また、上記各相違点を総合的に検討しても奏される効果は当業者が当然に予測できる範囲内のものである。
　
　
５．むすび
　以上のとおり、本願発明は、引用例１乃至５に記載された発明に基づき、周知技術も考慮することにより、当業者が容易に発明をすることができたものであるから、特許法第２９条第２項の規定により特許を受けることができない。
  よって、結論のとおり審決する。